(57)【要約】      （修正有）【課題】コンロ本体内に延伸させて設けたれたバーナーに沿って上に着脱自在に設けられた炭受けへの点火プラグからの放電を抑止することによって点火不良のおそれのない無煙炭火焼き器具を提供する。【解決方法】コンロ本体内に延伸させて設けられたバーナー４と、前記バーナーに沿って上に一定間隔を置いて着脱自在に装着され、炭又はセラミック炭を載置して前記バーナーの炎によって着火、若しくは加熱されるように構成された横長板状の炭受け７と、前記コンロ本体の上に載置して肉や魚介類等の食材を調理するグリルとで無煙炭火焼き器具を構成する。さらに、点火プラグ２ａ〜２ｃの直上部の前記炭受け７に窓口部７ａを開設して、点火プラグ２ａ〜２ｃから炭受け７への放電を防止し前記バーナー４への安定、確実な点火を可能にして無煙炭火焼き器具とする。【選択図】図３
0003178044.tif 000002
【実用新案登録請求の範囲】
【請求項１】
左右いずれか一方の側面にカセットボンベを装着するガス供給部（１０）を備え、他の三方（前面、背面ともう一方の側面）は燃焼に必要な空気の流入孔が複数設けられた金属製の側板で構成され、内部にガス供給部（１０）からのガスを燃焼させるバーナー（４）が前面と背面との間の中央部に延伸させて設けられ、かつ前記バーナー（４）の火口（４ａ）に近接して圧電点火機構の点火プラグ（２）が備えられたコンロ本体（１）と、
前記バーナー（４）に沿って上に一定間隔を置いて着脱自在に装着され、炭又はセラミック炭を載置して前記バーナー（４）の炎によって着火、若しくは加熱されるように構成された横長板状の炭受け（７）と、
前記コンロ本体（１）の上に載置して肉や魚介類等の食材を調理するグリルとでなる無煙炭火焼き器具において、
点火プラグ（２）の直上部の前記炭受けに窓口部（７ａ）を開設してなり、点火プラグ（２）から炭受け（７）への放電を防止し前記バーナー（４）への安定、確実な点火を可能にしてなることを特徴とする無煙炭火焼き器具。
【請求項２】
前記コンロ本体内に延伸させて設けられたバーナー（４）のガス供給部（１０）側の端部近傍上面に、圧電点火機構の点火プラグ（２）を装着する点火プラグ装着板（３）が固着されてなり、点火プラグ（２）とバーナー（４）の火口（４ａ）との位置関係を固定することにより、安定、確実な点火を可能にしてなることを特徴とする請求項１に記載の無煙炭火焼き器具。
【請求項３】
点火プラグ装着板（３）は、前記バーナー（４）上に一定間隔を置いて配置される中央の点火プラグ装着部（３ａ）と、バーナー（４）の上部外形に合わせて加工された左右両端部のバーナーへの固着部（３ｂ）と、前記バーナーへの固着部（３ｂ）の両脇に突出されたウイング（３ｃ）とが一体に形成されてなり、前記点火プラグ装着部（３ａ）上に前記点火プラグ（２）が載置、固定されてなることを特徴とする請求項２に記載の無煙炭火焼き器具。
【請求項４】
点火プラグ装着板（３）のバーナー（４）への固着が、溶接によって行われることを特徴とする請求項２又は３に記載の無煙炭火焼き器具。
【請求項５】
コンロの燃焼室とガス供給部（１０）とを隔離する隔離板（１１）に、点火プラグ装着板（３）を介して点火プラグ（２）が固着されたバーナー（４）を挿入する下部が円弧の凸字形状の開口（１２）が穿たれてなることを特徴とする請求項２〜４のいずれか１項に記載の無煙炭火焼き器具。
【考案の詳細な説明】
【技術分野】
【０００１】
左右いずれか一方の側面にカセットボンベを装着するガス供給部を備え、内部にガス供給部からのガスを燃焼させるバーナーを前面と背面との間の中央部に延伸させて設けられ、かつ前記バーナーの火口に近接して圧電点火機構の点火プラグが備えられたコンロ本体と、前記バーナーに沿って上に一定間隔を置いて着脱自在に装着され、炭又はセラミック炭を載置して前記バーナーの炎によって着火、若しくは加熱されるように構成された横長板状の炭受けと、前記コンロ本体の上に載置して肉や魚介類等の食材を調理するグリルとでなる無煙炭火焼き器具において、前記バーナーに確実に点火できる点火機構を備えてなる無煙炭火焼き器具に関する。
【背景技術】
【０００２】
従来の、燃焼室内にガス供給部からのガスを燃焼させるバーナーを前面と背面との間の中央部に延伸させて設けられ、かつ前記バーナーに沿って上に一定間隔をおいで着脱自在に装着された横長板状の炭受けを有する無煙炭火焼き器具（特許文献１）においては、図４に示すように、圧電点火機構の点火プラグ２は、燃焼室とガス供給部との隔離板１１のバーナー４が取り付けられた位置の上方に、点火プラグ装着板３’を介してネジ止めされ、その先端に設けられた放電電極２ａがバーナー４の火口４ａ近くに配置された構造になっている。また、前記炭受け７も前記点火プラグ装着板３’が取り付けられた隔離板１１の真上に一定間隔を置いて着脱可能に装着されている。したがってバーナー４と炭受け７とは点火プラグ２を挟んで上下に配置され、最小限点火プラグ２の絶縁碍子２ｂの高さ分の間隔は離れることになる。
一方バーナー４の火口４ａからの炎によって炭受け７に載置した炭やセラミック炭に効率よく着火若しくは加熱するには、バーナー４と炭受けとの間隔は短い方が好ましい。このため点火プラグ２と炭受け７とは接近することとなる。
また、炭受け７に炭を載置して使用すると、灰が炭受け７の着火孔７ｂからバーナー４の上に落下して付着し点火プラグ２からの放電がバーナー側に届き難くなり、近接設置された炭受け７側に届いて点火不良に陥るおそれがある。さらにその灰の除去や火口４ａの清掃の目的から前記着脱自在の炭受け７の取り外し取り付けを繰り返すことによって、バーナー４との間隔が変化して、炭受け７へ放電が届きやすくなることも起こりうる。
【先行技術文献】
【特許文献】
【０００３】
【特許文献１】実用新案登録第１７３６１３号
【考案の概要】
【考案が解決しようとする課題】
【０００４】
本考案は上記背景技術に鑑みてなされたもので、点火プラグ２の直上部の前記炭受けに窓口部７ａを開設して、点火プラグ２から炭受け７への放電を防止し、前記バーナー４への点火不良のおそれのない無煙炭火焼き器具を提供するものである。
【課題を解決するための手段】
【０００５】
本考案者は上記課題を下記の手段により解決した。
（１）左右いずれか一方の側面にカセットボンベを装着するガス供給部を備え、他の三方（前面、背面ともう一方の側面）は燃焼に必要な空気の流入孔が複数設けられた金属製の側板で構成され、内部にガス供給部からのガスを燃焼させるバーナーが前面と背面との間の中央部に延伸させて設けられ、かつ前記バーナーの火口に近接して圧電点火機構の点火プラグ備えられたコンロ本体と、
前記バーナーに沿って上に一定間隔を置いて着脱自在に装着され、炭又はセラミック炭を載置して前記バーナーの炎によって着火、若しくは加熱されるように構成された横長板状の炭受けと、
前記コンロ本体の上に載置して肉や魚介類等の食材を調理するグリルとでなる無煙炭火焼き器具において、
点火プラグの直上部の前記炭受けに窓口部を開設してなり、点火プラグから炭受けへの放電を防止し前記バーナーへの安定、確実な点火を可能にしてなることを特徴とする無煙炭火焼き器具。
（２）前記コンロ本体内に延伸させて設けられたバーナーのガス供給部側の端部近傍上面に、圧電点火機構の点火プラグを装着する点火プラグ装着板が固着されてなり、点火プラグとバーナーの火口との位置関係を固定することにより、安定、確実な点火を可能にしてなることを特徴とする前項（１）に記載の無煙炭火焼き器具。
（３）点火プラグ装着板は、前記バーナー上に一定間隔を置いて配置される中央の点火プラグ装着部と、バーナーの上部外形に合わせて加工された左右両端部のバーナー固着部と、前記バーナー固着部の両脇に突出されたウイングとが一体に形成されてなり、前記点火プラグ装着部上に前記点火プラグが載置、固定されてなることを特徴とする前項（２）に記載の無煙炭火焼き器具。
（４）点火プラグ装着板のバーナーへの固着が、溶接によって行われることを特徴とする前項（２）又は（３）に記載の無煙炭火焼き器具。
（５）コンロの燃焼室とガス供給部とを隔離する隔離板に、点火プラグ装着板を介して点火プラグが固着されたバーナーを挿入する下部が円弧の凸字形状の開口が穿たれてなることを特徴とする前項（２）〜（４）のいずれか１項に記載の無煙炭火焼き器具。
【考案の効果】
【０００６】
本考案の無煙炭火焼き器具により、下記の効果が発揮できる。
〈１〉左右いずれか一方の側面にカセットボンベを装着するガス供給部を備え、他の三方（前面、背面ともう一方の側面）は燃焼に必要な空気の流入孔が複数設けられた金属製の側板で構成され、内部にガス供給部からのガスを燃焼させるバーナーが前面と背面との間の中央部に延伸させて設けられ、かつ前記バーナーの火口に近接して圧電点火機構の点火プラグが備えられたコンロ本体と、前記バーナーに沿って上に一定間隔を置いて着脱自在に装着され、炭又はセラミック炭を載置して前記バーナーの炎によって着火、若しくは加熱されるように構成された横長板状の炭受けと、前記コンロ本体の上に載置して肉や魚介類等の食材を調理するグリルとでなる無煙炭火焼き器具において、
点火プラグの直上部の前記炭受けに窓口部を開設してなるので、点火プラグから炭受けへの放電のおそれがなくなり、前記バーナーへの安定、確実な点火を可能になる。
〈２〉前記コンロ本体内に延伸させて設けられたバーナーのガス供給部側の端部近傍上面に、圧電点火機構の点火プラグを装着する点火プラグ装着板が固着されているので、この点火プラグ装着板に点火プラグを装着することによって点火プラグとバーナーの火口との位置関係が固定され、安定、確実な点火が可能になる。
また、従来のコンロの製造時に行われていた点火プラグ装着板の隔離板への取付けをはじめとして点火プラグとバーナーの火口との間隔調整等細心の注意を要した作業がなくなり、生産性が向上し、量産による低廉化を図ることができる。
〈３〉点火プラグ装着板は、前記バーナー上に一定間隔を置いて配置される中央の点火プラグ装着部と、バーナーの上部外形に合わせて加工された左右両端部のバーナー固着部と、前記バーナー固着部の両脇に突出されたウイングとが一体に形成されてなるので、左右両端部のバーナー固着部をバーナーに溶接等によって固着した後前記点火プラグを点火プラグ装着部に載置してネジ止め等によって固定すればよく、作業効率の向上に資する。
〈４〉コンロの燃焼室とガス供給部とを隔離する隔離板に、点火プラグ装着板を介して点火プラグが固着されたバーナーを挿入する下部が円弧の凸字形状の開口が穿たれているので、前記バーナーを前記開口に挿入したとき前記ウイングと前記点火プラグ装着部とを連結する垂直面部が前記隔離板に当接し、かつ前記ウイングの上面が前記開口の中央部に水平に形成され部分に当接してバーナーの軸回りの回転を抑止でき、燃焼室内の火力分布を常に一定に保つことができる。
【図面の簡単な説明】
【０００７】
【図１】本考案の圧電点火機能を備えた無煙炭火焼き器具の一実施例の斜視図
【図２】窓口部を設けた炭受けと点火プラグとを取付けた無煙炭火焼き器具の部分斜視図
【図３】窓口部を設けた炭受けと点火プラグが載置固定されたバーナーとを取り付けた無煙炭火焼き器具の部分斜視図
【図４】点火プラグ装着部の構造とバーナーへの固着状態を示す斜視図
【図５】点火プラグ装着部への点火プラグの固定状態を示す斜視図（実施例２の場合）
【図６】従来の炭受けと点火プラグとを取付けた無煙炭焼き器具の部分斜視図
【考案を実施するための形態】
【０００８】
本考案のコンロを実施するための形態を、実施例の図に基づいて説明する。
図１は本考案の圧電点火機能を備えた無煙炭火焼き器具の一実施例の斜視図、図２は窓口部を設けた炭受けと点火プラグとを取付けた無煙炭火焼き器具の部分斜視図、図３は窓口部を設けた炭受けと点火プラグが載置固定されたバーナーとを取り付けた無煙炭火焼き器具の部分斜視図、図４は点火プラグ装着部の構造とバーナーへの固着状態を示す斜視図、図５は点火プラグ装着部への点火プラグの固定状態を示す斜視図（実施例２の場合）である。
図において１はコンロ本体、２は点火プラグ、２ａは放電電極、２ｂは絶縁碍子、２ｃは止め金、３、３’は点火プラグ装着板、３ａは点火プラグ装着部、３ｂはバーナーへの固着部、３ｃはウイング、３ｄは垂直面部、３ｅはスリット、３ｆはねじ穴、４はバーナー、４ａは火口、５はガス点火・供給量調節つまみ、６は安全レバー、７は炭受け、７ａは窓口部、７ｂは着火孔、１０はガス供給部、１１は隔離板を示す。
【０００９】
本考案の無煙炭火焼き器具、図１に示すような左右いずれか一方の側面にカセットボンベを装着するガス供給部１０を備え、他の三方（前面、背面ともう一方の側面）は燃焼に必要な空気の流入孔が複数設けられた金属製の側板で構成され、内部にガス供給部からのガスを燃焼させるバーナー４を前面と背面との間の中央部に延伸させて設けられ、かつ前記バーナーの火口に近接して圧電点火機構の点火プラグ２が備えられたコンロ本体１と、前記バーナー４に沿って上に一定間隔を置いて着脱自在に装着され、炭又はセラミック炭を載置して前記バーナー４の炎によって着火、若しくは加熱されるように構成された横長板状の炭受け７と、前記コンロ本体１の上に載置して肉や魚介類等の食材を調理するグリル（図示せず）とでなる無煙炭火焼き器具において、
図２、図３に示すように、点火プラグ２の直上部の前記炭受け７に窓口部７ａを開設して、点火プラグ２から炭受け７への放電を防止し前記バーナーへの安定、確実な点火を可能にしてなるものである。
【実施例１】
【００１０】
図２に示す実施例１は、従来の無煙炭火焼き器具の基本構成、すなわち、図４に示す圧電点火機構の点火プラグ２を燃焼室とガス供給部との隔離板１１のバーナー４が取り付けられた位置の上方に、点火プラグ装着板３を介してネジ止めされ、その先端に設けられた放電電極２ａがバーナー４の火口４ａ近くに配置され、前記炭受け７が前記点火プラグ装着板３が取り付けられた真上の位置の前記隔離板１１に一定間隔を置いての着脱可能に装着された形体を変えることなく、前記炭受け７の、前記点火プラグ２の放電電極の直上となる部分に窓口部７ａを開設してなるものである。
この窓口部７ａを設けたことによって、点火プラグ２の放電電極と炭受け７との間隔が拡がり点火プラグ２から炭受け７への放電が防止されるとともに、該窓口部７ａを介して点火プラグ周辺に付着した炭の燃焼によって付着した灰の除去もでき、バーナー４の清掃のために行う炭受け７の着脱回数も減少され、無煙炭火焼き器具の器具の長期間の安定使用に寄与することができる。
【実施例２】
【００１１】
図３に示す実施例２は、前記コンロ本体１内のバーナー４のガス供給部１０側の端部近傍の上面に固着された点火プラグ装着板３に圧電点火機構の点火プラグ２が載置、固定され、そのバーナー４の上に、前記点火プラグ２の放電電極の直上となる部分に窓口部７ａを開設してなる炭受け７を一定間隔を置いて着脱自在に装着配置されたものである。
本実施例２のバーナー２に溶接等で固着される点火プラグ装着板３は、図４（ａ）に示すように、前記バーナー４上に一定間隔を置いて配置される中央の点火プラグ装着部３ａと、バーナーの上部外形に合わせて加工された左右両端部のバーナーへの固着部３ｂと、前記バーナーへの固着部３ｂの前後に突出させて設けられたウイング３ｃとが一体として形成されており、前記点火プラグ装着部３ａには、前記点火プラグ２を装着する止め金２ｃ（図３参照）用のスリット３ｄ及びねじ穴３ｅが設けられている。
そして、本実施例２の点火プラグ装着板３を介して点火プラグ２が固着されたバーナー４のコンロ本体への取り付けは、図３に示すように、前記ガス供給部１０とコンロの燃焼室を隔離すると隔離板１１に下部が円弧の凸字形状の開口１２を穿ち、前記バーナーを前記開口１２に挿入することによって行われる。
挿入によって前記ウイング３ｃと前記点火プラグ装着部３ｂとを連結する垂直面部３ｄが前記隔離板１１に当接し、かつ前記ウイング３ｃの上面が前記開口１２の中央部に水平に形成された部分に当接してバーナー４の軸回りの回転を抑止し、燃焼室内の火力分布を常に一定に保つよう作用する。
炭受け７のコンロ本体１への装着は従来と変わるところはない。
【００１２】
実施例１及び実施例２における点火プラグは、いずれも絶縁碍子２ｂから突出した放電電極２ａから金属製のバーナー４への放電によって火口４ａから放出されるガスに点火するものであって、図４（ｂ）に示すように絶縁碍子２ｂ中央部に設けたくびれに前記止め金２ｃを渡してねじ止めによって点火プラグ装着部３ａに固定される。
そして、放電電極２ａと一体に構成された導体が前記絶縁碍子２ｂ内を貫通して絶縁碍子２ｂの他端から突出した端子に被覆電線２ｄが接続され、該被覆電線２ｄは前記ガス供給部１０内に設けられた圧電素子（図示せず）に接続され、ガス供給部１０の前面パネルに設けられたガス点火・供給量調節つまみ５の操作によって前記圧電素子の起電力が点火プラグ２の放電電極に伝達されることによってバーナー４の点火が実行される。
【００１３】
図１において、バーナー４を直線状に延伸されたものとして示したが、特許文献１に記載されたバーナーのように緩やかに蛇行したＳ字形状でなるものであってもよい。
【符号の説明】
【００１４】
１：コンロ本体
２：点火プラグ
２ａ：放電電極
２ｂ：絶縁碍子
２ｃ：止め金
２ｄ：被覆電線
３：点火プラグ装着板
３ａ：点火プラグ装着部
３ｂ：バーナーへの固着部
３ｃ：ウイング
３ｄ：垂直面部
３ｅ：ねじ穴
３ｆ：スリット
３’：従来の点火プラグ装着板
４：バーナー
４ａ：火口
５：ガス点火・供給量調節つまみ
６：安全レバー
７：炭受け
７ａ：窓口部
１０：ガス供給部
１１：隔離板
１２：下部が円弧の凸字形状の開口
【図１】
0003178044.tif 000003
【図２】
0003178044.tif 000004
【図３】
0003178044.tif 000005
【図４】
0003178044.tif 000006
【図５】
0003178044.tif 000007
【図６】
0003178044.tif 000008